(57)【要約】  【課題】  ノック操作のための後軸より突出するノック部材を備える複合筆記具において、軸の外径を小さくすることができる複合筆記具を提供する。  【解決手段】  後軸を先軸に対して相対回転すると、後軸に対して相対回転不能となったカム筒５０が後軸と共に回転し、先軸及び中軸との間に生じた相対回転により、選択的に中軸３０によって軸方向に案内された１つの筆記軸体を突出した位置に保持する。また、ノック筒５４をノックすると、カム筒５０がノックされ、カム筒５０により突出された筆記軸のノックが可能となる。中軸３０の後部はカム筒５０内に挿入されており、中軸３０の後端部の係止片３０ｄが、後軸２０の後端に固着された尾冠５２に形成された垂直な係止用壁５２ｂに形成された貫通孔５２ｃを貫通すると共に該貫通孔５２ｃに係止される。カム筒５０とノック筒５４とは、該係止用壁５２ｂの貫通孔５２ｃ以外の切欠部５２ｄを通して連結される。【選択図】  図３
2005335135.tif 000002
【特許請求の範囲】
【請求項１】
先軸と、後軸と、先軸と後軸との間に挿設されて、先軸に対して相対回転不能に連結されると共に後軸に相対回転可能に連結される中軸と、先軸内に収納され後方へ常時付勢されると共に中軸によって軸方向に移動可能に案内される複数の筆記軸体と、後軸内で後軸に相対回転不能且つ軸方向移動可能に設けられ先軸及び中軸との相対回転によって選択的に中軸によって軸方向に案内された筆記軸体を出没させるカム筒と、カム筒に連結され、後軸から突出するノック部材とを有し、該ノック部材のノックにより前記カム筒によって突出された筆記軸体のノックが可能になる複合筆記具において、
前記中軸の後部はカム筒内に挿入されており、中軸の後端部が、後軸内にあって軸方向に垂直な係止用壁に形成された貫通孔を貫通すると共に該貫通孔に係止されており、
カム筒とノック部材とは、後軸内または後軸に設けられた開口を通して連結されることを特徴とする複合筆記具。
【請求項２】
前記開口は、前記係止用壁の前記貫通孔以外の部分に形成されるものであることを特徴とする請求項１記載の複合筆記具。
【請求項３】
前記開口は、係止用壁にまたは係止用壁と後軸との間に形成されて、前記貫通孔よりも外径側で非リング状の開口であることを特徴とする請求項１または２記載の複合筆記具。
【請求項４】
前記カム筒の後端部には、前記開口を通過する係止片が形成されており、該係止片にノック部材が連結されることを特徴とする請求項１ないし３のいずれか１項に記載の複合筆記具。
【請求項５】
前記ノック部材は、クリップであることを特徴とする請求項１ないし４のいずれか１項に記載の複合筆記具。
【請求項６】
前記開口は、前記後軸の側面に形成されることを特徴とする請求項１または５記載の複合筆記具。
【請求項７】
前記係止用壁は、前記後軸の後端に固着される尾冠に形成されることを特徴とする請求項１ないし６のいずれか１項に記載の複合筆記具。
【請求項８】
前記係止用壁は、前記後軸に一体に形成されることを特徴とする請求項１ないし６のいずれか１項に記載の複合筆記具。
【発明の詳細な説明】
【技術分野】
【０００１】
本発明は、複数の筆記軸体を収納し、これらの筆記軸体を選択的に突出させて使用可能状態とする複合筆記具に関し、特にノック操作のための後軸より突出するノック部材を備える複合筆記具に関する。
【背景技術】
【０００２】
従来、この種の筆記具としては、例えば、本出願人の出願に係る特開２００１−３２８３９３号公報（特許文献１）に記載されたものが知られている。
【０００３】
特許文献１に記載された複合筆記具は、先軸と、後軸と、先軸と後軸との間に挿設されて、先軸に対して分離可能に結合されると共に後軸に回転可能に且つ軸方向に移動不能に結合され、先軸と後軸とを互いに分離可能に、さらには両者が連結状態で相対回転可能に且つ軸方向に移動不能に連結する中軸と、先軸内に収納され後方へ常時付勢されると共に中軸によって軸方向に移動可能に案内された複数の筆記軸体と、後軸内で後軸に相対回転不能且つ軸方向移動可能に設けられ先軸及び中軸との相対回転によって選択的に中軸によって軸方向に案内された１つの筆記軸体を突出した位置に保持するカム筒と、カム筒に連結され、前記後軸の後部から突出するノック部材とを有し、該ノック部材のノックにより前記カム筒によって突出された筆記軸体のノックが可能になる、構成となっている。
【０００４】
ところで、中軸を後軸に回転可能に且つ軸方向に移動可能に結合する構成として、特許文献１に記載されたものでは、中軸が後軸内へと略同心的に延びる後筒部を有しており、該後筒部の後端に係合突起が形成されており、該係合突起が後軸内面に形成された係合段部に係止する、構成となっている。
【０００５】
即ち、従来の構成では、後軸、中軸及びカム筒による三重筒構造になっており、そのために、軸の外径が大きくなるという問題を有している。しかしながら、後軸の内部ではカム筒と中軸とをそれぞれ配設し、カム筒をノック部材と連結する必要があるために、中軸を嵩張らずに後軸に対して取り付けることは簡単ではない。
【０００６】
【特許文献１】特開２００１−３２８３９３号公報
【発明の開示】
【発明が解決しようとする課題】
【０００７】
本発明は、かかる課題に鑑みなされたもので、その目的は、ノック操作のための後軸より突出するノック部材を備える複合筆記具において、軸の外径を小さくすることができる複合筆記具を提供することである。
【課題を解決するための手段】
【０００８】
上記目的を達成するために本発明のうち請求項１記載の発明は、先軸と、後軸と、先軸と後軸との間に挿設されて、先軸に対して相対回転不能に連結されると共に後軸に相対回転可能に連結される中軸と、先軸内に収納され後方へ常時付勢されると共に中軸によって軸方向に移動可能に案内される複数の筆記軸体と、後軸内で後軸に相対回転不能且つ軸方向移動可能に設けられ先軸及び中軸との相対回転によって選択的に中軸によって軸方向に案内された筆記軸体を出没させるカム筒と、カム筒に連結され、後軸から突出するノック部材とを有し、該ノック部材のノックにより前記カム筒によって突出された筆記軸体のノックが可能になる複合筆記具において、
前記中軸の後部はカム筒内に挿入されており、中軸の後端部が、後軸内にあって軸方向に垂直な係止用壁に形成された貫通孔を貫通すると共に該貫通孔に係止されており、
カム筒とノック部材とは、後軸内または後軸に設けられた開口を通して連結されることを特徴とする。
【０００９】
請求項２記載の発明は、請求項１記載の開口が、前記係止用壁の前記貫通孔以外の部分に形成されるものであることを特徴とする。
【００１０】
請求項３記載の発明は、請求項１または２記載の開口が、係止用壁にまたは係止用壁と後軸との間に形成されて、前記貫通孔よりも外径側で非リング状の開口であることを特徴とする。
【００１１】
請求項４記載の発明は、請求項１ないし３のいずれか１項に記載のものにおいて、前記カム筒の後端部に、前記開口を通過する係止片が形成されており、該係止片にノック部材が連結されることを特徴とする。
【００１２】
請求項５記載の発明は、請求項１ないし４のいずれか１項に記載のノック部材が、クリップであることを特徴とする。
【００１３】
請求項６記載の発明は、請求項１または５記載の開口が後軸の側面に形成されることを特徴とする。
【００１４】
請求項７記載の発明は、請求項１ないし６のいずれか１項に記載の係止用壁が後軸の後端に固着される尾冠に形成されることを特徴とする
請求項８記載の発明は、請求項１ないし６のいずれか１項に記載の係止用壁が後軸に一体に形成されることを特徴とする。
【発明の効果】
【００１５】
本発明によれば、中軸の後部をカム筒内に挿入し、中軸の後端部を係止用壁に形成された貫通孔に係止するため、後軸内において中軸を相対回転可能に取り付けることができる。中軸の外径を小さく、後軸内で嵩張らない形状にすることができるため、結果として軸の外径を小さくすることができる。カム筒とノック部材とが後軸内または後軸に設けられた開口を通して連結されるために、ノック部材をノックすると、カム筒にノック力が伝達し、カム筒を介して筆記軸体にノック力を伝えることができる。
【００１６】
また、非リング状の開口を通してカム筒とノック部材とを連結すると、カム筒を後軸に対して相対回転不能に取り付けることができる。
【００１７】
また、カム筒の係止片とノック部材とを連結するようにすると、組み立ての際に係止片が径方向に移動することができるために、連結作業を容易にでき、組み立ての際にノック部材を損傷させることもない。
【発明を実施するための最良の形態】
【００１８】
以下、図面を用いて本発明の実施の形態を説明する。
【００１９】
（第１実施形態）
図１ないし図７は、本発明の第１実施形態に係る複合筆記具を表す図である。図において、複合筆記具は、先軸１０と後軸２０とを有している。
【００２０】
先軸１０及び後軸２０は、この例の場合には、軸の外径を小さくするために有利なように薄肉の金属製パイプから構成されるが、これに限るものではなく、プラスチック製とすることもできる。また、先軸１０及び後軸２０は、この例の場合には、それぞれ一体品として形成されているが、複数部品から構成することも勿論可能である。先軸１０の先端には、後述の筆記軸体の先端が突出するための先端開口１０ａが形成されている。
【００２１】
先軸１０と後軸２０との間には、金属製の嵌合筒２８を介してプラスチック製の中軸３０が挿設されている。嵌合筒２８は、先軸１０に対して着脱可能に且つ相対回転不能に連結され、後軸２０に対して着脱不能に且つ相対回転可能に連結されるものであり、中軸３０と一体品とすることも可能である。そして、中軸３０は、嵌合筒２８を介して、先軸１０に対して分離可能に且つ相対回転不能に連結されると共に後軸２０に対して相対回転可能になり、先軸１０と後軸２０とを、分離可能に、さらには両者が連結状態で相対回転可能に且つ軸方向に移動不能に連結する。
【００２２】
具体的には中軸３０は、図２に詳細に示したように、先筒部３０ａと、ガイド部３０ｂと、先筒部３０ａとガイド部３０ｂとの間にあって、軸方向に略垂直になった仕切壁３０ｃと、後端部にあって後述のように後軸２０に対して相対回転可能に連結するための複数（この例では３つ）の係止片３０ｄと、を有している。係止片３０ｄはその後端に外径方向に突出する突部を有している。
【００２３】
中軸３０の先筒部３０ａの外周面は、前記嵌合筒２８の内周面に嵌合して、嵌合筒２８と中軸３０とは一体的に嵌合される。
【００２４】
また、中軸３０のガイド部３０ｂは、先筒部３０ａよりも小径となっている。ガイド部３０ｂには、この複合筆記具が最大収納可能な筆記軸体の本数に合わせた数だけの軸方向に伸びるガイド溝３０ｅが形成されている。仕切壁３０ｃには、ガイド溝３０ｅに連通する複数の挿通孔３０ｆが形成されている。
【００２５】
先軸１０内には、複数（この例では３本）の筆記軸体４０，４２，４２が収納される。これらの筆記軸体４０，４２，４２のうちの１つの筆記軸体４０は、シャープペンシル軸であり、残りの２つの筆記軸体４２（但し、そのうち１本は、図１において手前側にあって見えない、全ての筆記軸体が収納状態にあるときの状態を仮想線で示す）は、互いに色の異なるポールペン軸となっている。但し、筆記軸体の組み合わせとしては、勿論この組み合わせに限定されるものではなく、消しゴム軸も含む任意の筆記軸体を組み合わせることが可能である。各筆記軸体４０，４２，４２の後部は、前記中軸３０の仕切壁３０ｃに形成された対応する挿通孔３０ｆを挿通して、後軸２０内へと延びており、その後端には、カムスライダー４４が取り付けられている。各カムスライダー４４と仕切壁３０ｃとの間には弾性部材であるリターンスプリング４６が介挿されており、各リターンスプリング４６によって、各筆記軸体４０，４２，４２は常時後方へと付勢されている。
【００２６】
後軸２０の後内部には、カム筒５０が設けられる。カム筒５０の先端には、図３及び図４に示すように、筍状のカム突起５０ａが形成され、そのカム突起５０ａの先端には、係合凹部５０ｂが形成されている。この係合凹部５０ｂに、前記カムスライダー４４の係合突起４４ａ（図１参照）の後端が係合可能となっている。
【００２７】
カム筒５０の後端には一対の係止片５０ｃ、５０ｃが形成されており、各係止片５０ｃには係止孔５０ｄが形成され、係止孔５０ｄの後端縁部には内径方向に突出する係止突起５０ｅ、５０ｅが形成されている。
【００２８】
また、カム筒５０の内部には軸方向に垂直な仕切壁５０ｆが形成されており、仕切壁５０ｆの中央部には貫通孔５０ｇが形成されている。さらに、仕切壁５０ｆよりも前側のカム筒５０の内周面にはノックを規制するためのノック規制突起５０ｈが形成されている。ノック規制突起５０ｈは、前記中軸３０とカム筒５０との相対回転位置関係が、中軸３０のガイド溝３０ｅとカム筒５０のノック規制突起５０ｈとが整合したときのみに、ノック規制突起５０ｈがガイド溝３０ｅ内へと進入可能として、カム筒５０の中軸３０に対する前進が可能になるように規制するものである。
【００２９】
カム筒５０の後部には、尾冠５２が組み付けられる。尾冠５２は、後軸２０の後端に圧入等により固着されるものである。図３及び図５に示したように、尾冠５２は、前方へと伸びる一対の脚部５２ａ、５２ａを有しており、さらに、脚部５２ａ、５２ａの前端部同士は、係止用壁５２ｂによって連結されている。係止用壁５２は軸方向に垂直であり、係止用壁５２ｂの中央部には貫通孔５２ｃが形成されていると共に、貫通孔５２ｃよりも外径側には、円弧状に伸びる開口としての切欠部５２ｄ、５２ｄが形成されている。
【００３０】
また、カム筒５０の後部には、ノック筒５４が組み付けられる。ノック筒５４は、後方に開口した消しゴム受部５４ａと、消しゴム受部５４ａの底部から前方へと伸びる規制棒５４ｂを有している。消しゴム受部５４ａには、ジャケット５５付き消しゴム５６（図１参照）が挿入される。また、ノック筒５４の外周面には、前記カム筒５０の係止突起５０ｅが係止されるための環状の係止溝５４ｃが形成されている。
【００３１】
図１に示すように、ノック筒５４には、消しゴムカバー５８（図１参照）が適宜被着されている。また、後軸２０には、適宜クリップを取り付けることができ、そのクリップの基部を、前記カム筒５０及び尾冠５２と後軸２０との間に形成された空間内に差し込むことも可能である。
【００３２】
以上のカム筒５０、尾冠５２、ノック筒５４及び中軸３０の後軸２０内での組み立てについて図３及び図７を参照しながら、詳細に説明する。
【００３３】
中軸３０には、前述のリターンスプリング４６によって前方へと押し出される力が作用するため、その力を受けることができるように、後軸２０内で後軸２０に対して軸方向の前進運動が規制され且つ回転可能に配設される必要がある。このため、中軸３０は、後軸２０に固着される尾冠５２を介して後軸２０に取り付けられる。
【００３４】
具体的には、まず、カム筒５０の係止片５０ｃ、５０ｃを、尾冠５２の係止用壁５２ｂに形成された切欠部５２ｄを通過させて、尾冠５２の脚部５２ａ、５２ａの間に挿入し、カム筒５０の仕切壁５０ｆと尾冠５２の係止用壁５２ｂとを接近させて、仕切壁５０ｆの貫通孔５０ｇと係止用壁５２ｂの貫通孔５２ｃとを整合させる。そして、中軸３０の後部をカム筒５０内に前方から挿入し、仕切壁５０ｆの貫通孔５０ｇ及び尾冠５２の係止用壁５２ｂの貫通孔５２ｃに、中軸３０の係止片３０ｄを前方から通過させた後、該係止片３０ｄの後端を係止用壁５２ｂに係止させる。次いで、ノック筒５４を後方から尾冠５２内へと挿入し、その消しゴム受部５４ａの先端部をカム筒５０の係止孔５０ｄの先端に当接させ、且つその係止溝５４ｃにカム筒５０の係止突起５０ｅ、５０ｅを嵌合させる。カム筒５０の係止孔５０ｄ及び係止突起５０ｅは、いずれも係止片５０ｃに形成されており、係止片５０ｃがノック筒５４の挿入の際に弾性的に広がることができるので、組み立てが容易であり、組み立ての際にノック筒５４を損傷させることはない。ノック筒５４の規制棒５４ｂは、中軸３０の複数の係止片３０ｄの間に挿入されて、係止片３０ｄが内径方向へと倒れて前記係止用壁５２ｂとの係止が外れることを防ぐ。
【００３５】
以上のように組み立てられたカム筒５０、尾冠５２、ノック筒５４及び中軸３０は、後軸２０の後方から挿入されて、尾冠５２が後軸２０に圧入されて、後軸２０内において取り付けられる。カム筒５０とノック筒５４は、前方に一体的に移動可能に連結されるが、カム筒５０の係止片５０ｃと尾冠５２の係止用壁５２ｂ及び脚部５２ａとの嵌合によって、カム筒５０は後軸２０に対して相対回転不能となっている。一方、ノック筒５４が前方へとノックされると、ノック筒５４と共にカム筒５０は前進することができる（図７（ｂ））。
【００３６】
以上のように構成される複合筆記具において、作用を説明する。まず、図１は、シャープペンシル軸である筆記軸体４０が突出した状態を表しており、この状態で、この筆記軸体４０の後端に取り付けられたカムスライダー４４の係合突起４４ａの後端が、カム筒５０の係合凹部５０ｂに係合しており、筆記軸体４０はその先端が先軸１０の先端開口１０ａより突出した状態を保持して、筆記ができるようになっている。
【００３７】
この状態から、後軸２０を先軸１０に対して回転すると、後軸２０と共にカム筒５０が先軸１０及び中軸３０に対して回転し、係合突起４４ａと係合凹部５０ｂとの係合が解除されて、突出していた筆記軸体４０は、リターンスプリング４６の付勢力によって、カム筒５０のカム突起５０ａの斜面を摺動しながら、後退する。こうして、全ての筆記軸体４０，４２，４２が後退した状態（図１の仮想線）とすることができる。さらに、後軸２０を先軸１０に対して回転すると、別の筆記軸体４２のカムスライダー４４がカム筒５０の係合凹部５０ｂに係合して、その筆記軸体４２が突出する。こうして、後軸２０と先軸１０との相対回転によって、選択的に筆記軸体を突出させて使用可能状態とする。
【００３８】
図１に示すシャープペンシル軸である筆記軸体４０が突出した状態で、芯を繰り出すためにノックを行う必要がでると、ノック筒５４をノックする。ノック筒５４をノックすることにより、ノック筒５４に連結されたカム筒５０がノックされ、そして、カム筒５０の係合凹部５０ｂに係止されるスライダー４４を介して筆記軸体４０がノックされる。筆記軸体４０の先端部の外筒部が先軸１０の内周面に当接することにより、筆記軸体４０の内部のチャックＣが押し出されて、公知の芯送り出し機構の作用により芯Ｌが繰り出される。
【００３９】
また、芯を筆記軸体４０に補充する場合には、前述の先軸１０を嵌合筒２８から取り外して、先軸１０を中軸３０及び後軸２０から分離し、筆記軸体４０を露出させて行うことができる。
【００４０】
以上のように、本発明では、筆記軸体４０，４２，４２を選択的に突出させる操作を行うときには、後軸２０を先軸１０に対して回転させることにより行うため、回転操作が行いやすく、筆記軸体４０のノック操作の際には、ノック筒５４をノックすることにより行うため、後軸２０全体がノックされず、操作性が良いものとなる。ノック筒５４とカム筒５０とは、開口としての切欠部５２ｄ、５２ｄを介して連結されているため、ノック筒５４のノック力は、確実にカム筒５０へと伝達されることとなる。
【００４１】
そして、後軸２０内に配設される中軸３０の後部にある小径のガイド部３０ｂが、後軸２０内で嵩張らずに配設されており、その係止片３０ｄが嵩張らずに後軸３０内で軸方向に固定的となった係止用壁５２ｂに係止されるために、結果として軸の外径を小さくすることができるようになる。
【００４２】
（第２実施形態）
図８は、本発明の第２の実施形態を表す要部の部分分解斜視図である。他の部分については、第１実施形態と同様に構成することができるため、図示及び説明を省略する。
【００４３】
この例では、後軸２２をプラスチック製とし、中軸３０を固定するための尾冠５２を省略可能としたものであり、図８に示す後軸２２は、所定の断面で切って見た一部である。後軸２２には、その内部に、軸方向に垂直な係止用壁２２ａが形成されており、この係止用壁２２ａの中央部には貫通孔２２ｂが形成されている。また、貫通孔２２ｂの周囲には、円弧状に伸びる開口２２ｃ、２２ｃが形成されている。
【００４４】
中軸３０の係止片３０ｄは、前記カム筒５０の仕切壁５０ｆの貫通孔５０ｇを貫通した後、後軸２２の貫通孔２２ｂを貫通して、その後端が係止用壁２２ａに係止される。また、カム筒５０の係止片５０ｃ、５０ｃは、後軸２２の開口２２ｃ、２２ｃを貫通しており、前記ノック筒５４が、その係止片５０ｃ、５０ｃに第１実施形態と同様に嵌合して、ノック筒５４とカム筒５０とが連結される。こうして、ノック筒５４をノックするとカム筒５０がノックされる。
【００４５】
このように第２実施形態においても、第１実施形態と同様に作用させることができると共に、尾冠５２を省略することが可能になる。
【００４６】
（第３実施形態）
図９及び図１０は、第３実施形態に係る複合筆記具を表す図である。図において、第１実施形態と同一の部分は同一の符号を付して、その説明を省略する。
【００４７】
この例では、ノック部材がクリップ７０となっており、第１実施形態におけるノック筒５４の代わりに、尾冠５２−１に対して固定的な消しゴム受台６０が設けられている。
【００４８】
そして、後軸２０−１の側面には開口２０ａが形成されている。該開口２０ａをクリップ７０の基部７０ａが通過して、その基部７０ａが、後軸２０−１内に延びて、さらに尾冠５２−１に形成されたスロット５２ｅ内を延びて、カム筒５０−１の係止凹部５０ｉに係止することにより、クリップ７０とカム筒５０−１とが連結される。即ち、開口２０ａを通して、カム筒５０−１とクリップ７０とが連結されている。
【００４９】
後軸２０−１の開口２０ａは軸方向に延びており、クリップ７０が軸方向にノックすることができるノック代が確保されている。
【００５０】
また、中軸３０の後端部の係止片３０ｄが尾冠５２−１の貫通孔５２ｃを貫通して係止用壁５２ｂに係止されることは、第１実施形態と同様である。
【００５１】
このように構成される複合筆記具においても、筆記軸体４０のノック操作の際には、クリップ７０をノックすることにより行なうため、後軸２０−１全体がノックされず、操作性が良いものとなる。クリップ７０とカム筒５０−１とは、開口２０ａを通して連結されているため、クリップ７０のノック力は、確実にカム筒５０−１へと伝達されることとなり、前実施形態と同様の作用・効果が得られる。
【００５２】
（第４実施形態）
図１１は、第４実施形態に係る複合筆記具を表す図である。図において、第１実施形態及び第３実施形態と同一の部分は同一の符号を付して、その説明を省略する。
【００５３】
この例では、ノック部材がサイドノック７２となっており、第１実施形態におけるノック筒５４の代わりに、尾冠５２−２に対して固定的な消しゴム受台６０が設けられている。
【００５４】
そして、後軸２０−２の側面には開口２０ａが形成されている。該開口２０ａをサイドノック７２のリング状の基部７２ａが通過して、その基部７２ａが後軸２０−２内に延びて、カム筒５０−２の外周面に係止することにより、サイドノック７２とカム筒５０−２とが連結される。即ち、開口２０ａを通して、カム筒５０−２とサイドノック７２とが連結されている。
【００５５】
後軸２０−２の開口２０ａは軸方向に延びており、サイドノック７２が軸方向にノックすることができるノック代が確保されている。
【００５６】
また、中軸３０の後端部の係止片３０ｄが尾冠５２−２の貫通孔５２ｃを貫通して係止用壁５２ｂに係止されることは、第１実施形態と同様である。
【００５７】
このように構成される複合筆記具においても、筆記軸体４０のノック操作の際には、サイドノック７２をノックすることにより行なうため、後軸２０−２全体がノックされず、操作性が良いものとなる。サイドノック７２とカム筒５０−２とは、開口２０ａを通して連結されているため、サイドノック７２のノック力は、確実にカム筒５０−２へと伝達されることとなり、前実施形態と同様の作用・効果が得られる。
【図面の簡単な説明】
【００５８】
【図１】本発明の第１実施形態に係る複合筆記具を表す全体縦断面図（一部側面図を含む）である。
【図２】（ａ）は中軸の側面図、（ｂ）は（ａ）の矢印ｂ方向から見た図である。
【図３】（ａ）はカム筒、尾冠、ノック筒及び中軸の後部の分解斜視図、（ｂ）はカム筒、尾冠及びノック筒を組み立てた状態の斜視図である。
【図４】（ａ）はカム筒の縦断面図、（ｂ）は（ａ）のｂ−ｂ線に沿って見た断面図、（ｃ）は（ｂ）の矢印ｃ方向から見た図である。
【図５】（ａ）は尾冠の縦断面図、（ｂ）は（ａ）のｂ−ｂ線に沿って見た断面図である。
【図６】（ａ）はノック筒の平面図、（ｂ）は縦断面図である。
【図７】図１の要部の拡大断面図（一部側面図を含む）であり、（ａ）はノック筒がノックされていない状態、（ｂ）はノック筒がノックされた状態を表す。
【図８】本発明の第２の実施形態を表す要部の部分分解斜視図である。
【図９】本発明の第３実施形態に係る複合筆記具を表す全体縦断面図（一部側面図を含む）である。
【図１０】本発明の第３実施形態に係るカム筒、尾冠及び消しゴム受台を組み立てた状態の斜視図である。
【図１１】本発明の第４実施形態に係る複合筆記具を表す全体縦断面図（一部側面図を含む）である。
【符号の説明】
【００５９】
１０  先軸
２０、２０−１、２０−２、２２  後軸
２０ａ  開口
２２ａ  係止用壁
２２ｂ  貫通孔
２２ｃ  開口
３０  中軸
３０ｄ  係止片
４０，４２，４２  筆記軸体
５０，５０−１，５０−２  カム筒
５０ｃ  係止片
５２，５２−１，５２−２  尾冠
５２ｂ  係止用壁
５２ｃ  貫通孔
５２ｄ  切欠部（開口）
５４  ノック筒（ノック部材）
７０  クリップ（ノック部材）
７２  サイドノック（ノック部材）
【図１】
2005335135.tif 000003
【図２】
2005335135.tif 000004
【図３】
2005335135.tif 000005
【図４】
2005335135.tif 000006
【図５】
2005335135.tif 000007
【図６】
2005335135.tif 000008
【図７】
2005335135.tif 000009
【図８】
2005335135.tif 000010
【図９】
2005335135.tif 000011
【図１０】
2005335135.tif 000012
【図１１】
2005335135.tif 000013